(57)【要約】【課題】  見栄えがよい外観が得られると共に成形が容易で生産性がよい洗濯機を提供する。【解決手段】  洗濯槽の上方に位置し、中央に前記洗濯槽に対し洗濯物を出し入れする洗濯物投入口を有するトップカバーに設けられ、洗濯物投入口を開放閉塞する洗濯蓋３０を構成する基材に、飾り部材２７を取り付けるために設けられた取付孔４０ｂを、飾り部材２７とは反対側から覆うようにカバー部材５６を取り付けたため、取り付け構造が隠されて外観上見栄えが良い。【選択図】  図１
2007195781.tif 000002
【特許請求の範囲】
【請求項１】
内部に洗濯槽を有する本体と、
前記洗濯槽の上方に位置し、中央に前記洗濯槽に対し洗濯物を出し入れする洗濯物投入
口を有するトップカバーと、
このトップカバーに設けられ、前記洗濯物投入口を開放閉塞する蓋を有する洗濯機にお
いて、
前記蓋は、
基材と、その上面に取り付けられる取付部材および下面に取り付けられるカバー部材と
により構成され、
基材には、前記取付部材が取り付けられる取付孔が貫通して形成され、
前記カバー部材は、前記取付部材の反対面から前記取付孔を覆うように取り付けること
を特徴とする洗濯機。
【請求項２】
カバー部材は、取付孔に取り付けられることを特徴とする請求項１記載の洗濯機。
【請求項３】
カバー部材は、
弾性材で形成されるとともに、トップカバーの洗濯物投入口の周縁には載置部が形成さ
れており、
前記蓋は、洗濯物投入口閉塞時にカバー部材が載置部に当接するように載置されること
を特徴とする請求項１記載の洗濯機。
【請求項４】
カバー部材は、
この蓋の開閉を検出する蓋開閉検知手段を構成する磁石を装着する磁石装着部を有する
ことを特徴とする請求項１または請求項２記載の洗濯機。
【請求項５】
カバー部材は、
洗濯物投入口閉塞時に蓋を載置部にロックするロック機構を構成するロック固定部を有
することを特徴とする請求項３に記載の洗濯機。
【発明の詳細な説明】
【技術分野】
【０００１】
本発明は、洗濯物投入口を開閉する蓋を備えた洗濯機に関する。
【背景技術】
【０００２】
従来、洗濯機の洗濯蓋は、洗濯蓋のベース材となる板状の基材と、この基材に複数の取
付部材を取り付けることで構成していた（例えば、特許文献１参照）。
【０００３】
近年、基材に透明な樹脂の部材や、着色した樹脂の部材などさまざまな形状の部材を取
り付けることによって、デザイン性を向上させる洗濯蓋が増えてきており、基材に複数の
部材を取り付けるための取付手段を多数設けるようになっている。
【特許文献１】特開昭５７−１６４０９８号公報
【発明の開示】
【発明が解決しようとする課題】
【０００４】
しかしながら、基材に複数の部材を取り付けるための取付手段を多く形成すると、蓋の
裏面に基材の取付構造が露出されてしまい、外観が悪いという問題があった。さらに取付
構造を露出しないような構成にすると、金型をスライドさせる構造などで形成しなくては
ならず、金型が高価になり、生産性が悪く、複雑な形状となるため、設計の自由度が制限
されてしまうという問題があった。
【０００５】
本発明はこのような状況に鑑みてなされたもので、その目的とするところは見栄えがよ
い外観が得られると共に成形が容易で生産性がよい洗濯機を提供することにある。
【課題を解決するための手段】
【０００６】
上記目的を達成するために、本発明に係わる洗濯機は、内部に洗濯槽を有する本体と、
前記洗濯槽の上方に位置し、中央に前記洗濯槽に対し洗濯物を出し入れする洗濯物投入口
を有するトップカバーと、このトップカバーに設けられ、前記洗濯物投入口を開放閉塞す
る蓋を有する洗濯機において、前記蓋は、基材と、その上面に取り付けられる取付部材お
よび下面に取り付けられるカバー部材とにより構成され、基材には、前記取付部材が取り
付けられる取付孔が貫通して形成され、前記カバー部材は、前記取付部材の反対面から前
記取付孔を覆うように取り付けることを特徴とする。
【発明の効果】
【０００７】
上記構成によれば、蓋を構成する基材に、取付部材を取り付けるために基材を貫通して
設けられた取付孔を、取付部材とは反対側から覆うようにカバー部材を取り付けたため、
取り付け構造が隠されて外観上見栄えが良い。さらに取付孔を貫通して基材に設けた為、
スライド構造を採用する必要がなく成形が容易で生産性がよい洗濯機を提供できる。
【０００８】
さらに蓋の取付孔が隠されることにより、取付孔を多く形成しても表裏いずれの面にお
いても外観上問題がないため、多数の取付部材を基材に取り付けることができ、設計自由
度を向上させることができる。
【発明を実施するための最良の形態】
【０００９】
以下、図面を用いて本発明の実施形態を説明する。
【００１０】
本発明の第１の実施形態を、図１乃至図８を参照して説明する。
【００１１】
図１は、洗濯蓋３０の分解斜視図である。図２は、洗濯機１の全体の概略構成を示す部
分縦断面図である。また、図３は、洗濯蓋３０およびトップカバー２０の拡大斜視図であ
る。図４は、洗濯物投口２４を開放した状態の洗濯蓋３０裏面図、図５は、洗濯物投口２
４を開放した状態の洗濯蓋３０の異なる形態を示す裏面図である。図６は、洗濯蓋３０を
閉塞した状態の蓋ロック機構４６を示した図である。図７は、洗濯蓋３０を閉塞した状態
の詳細断面図である。図８は、洗濯機１の電気的構成図である。  
この洗濯機１は、図２に示すように外箱２の内部に、水槽３が防振状態に懸垂して支持
されていて、この水槽３内には、更に洗濯物を収納する洗濯槽４が回転可能に支持されて
おり、また、洗濯槽４の底部には洗濯水および洗濯物を攪拌するパルセータ５が回転可能
に支持されている。そして洗濯槽４の側壁には、遠心脱水用の多数の小孔６が設けられて
いる。
【００１２】
水槽３の外底面には、回転力を洗い軸７及び脱水軸８を介してパルセータ５及び洗濯槽
４に伝達するモータ９や、この洗い軸７と脱水軸８を切り替えるクラッチ機構（図示せず
）を備えた機構部１０が配設されている。機構部１０のクラッチ機構は、モータ９の回転
力の伝達を切り替えて、洗い軸７または脱水軸８に伝える機能を有するものである。そし
てモータ９は、洗い軸７、脱水軸８を介して、パルセータ５または洗濯槽４を正逆回転、
あるいは間欠回転させ洗濯槽４内に洗濯水の流れを生起することで、洗濯物の洗い等を行
うようにしている。  
さらに、水槽３の外底面には水槽３内の洗濯水を排水する排水弁１１及び排水ホース１
２等が配設されている。
【００１３】
一方、この洗濯機１の上部には、トップカバー２０が設けられており、このトップカバ
ー２０は、図２、図３に示すように前記トップカバー２０の前部および後部に、それぞれ
操作パネル２１およびバックカバー２２が設けられている。操作パネル２１とバックカバ
ー２２との間は、図２に示すように凹状の載置部２３が形成されており、その載置部２３
の中央部に、洗濯物を出し入れするための洗濯物投入口２４が形成されている。そしてこ
の載置部２３には洗濯物投入口２４を開閉するための洗濯蓋３０が回動可能に設けられて
いる。
【００１４】
また、このトップカバー２０上面の洗濯蓋３０の周縁とバックカバー２２にかけては、
着色してある環状の飾り２６が構成されている。なお、バックカバー２２には洗濯槽４内
に水を給水する給水口２５が設けられており（図３参照）、この給水口２５からは、水槽
３の上部に続く給水ホース（図示せず）が接続されて、水槽３内へ洗濯水を給水できるよ
うに構成されている。
【００１５】
上記洗濯蓋３０は、前蓋部３１と後蓋部３２とを回動可能に連結して構成された二つ折
り形のもので、後蓋部３２の後端部の左右両側に設けられた軸部３２ａが載置部２３の奥
方に形成された軸受部３３に回動可能に支持されている（図４参照）。  
この洗濯蓋３０は、洗濯物投入口２４を閉鎖した状態では載置部２３の内側に嵌まりこ
んだ状態となり、そして、前蓋部３１の上面中央部に設けられた凹状の手掛部３５に手を
掛けて引き上げると、前蓋部３１と後蓋部３２とが一体的に上方に回動して図５に示すよ
うに洗濯蓋３０の裏が見える状態でほぼ垂直に立ち上がり、洗濯物投入口２４を開く。
【００１６】
なお、前蓋部３１と後蓋部３２との連結部分で山形に折り曲げるように操作すれば、図
２に一点鎖線で示すように、洗濯蓋３０を二つ折りした状態にすることができるようにも
なっている。
【００１７】
このような構成の洗濯蓋３０は、複数の取付部材を組み合わせて構成されるものであり
、図１に示すように、回動可能に取り付けられる合成樹脂製で半円状の前基材４０と、略
矩形状の後基材４１とをベースとして、その上面に複数の合成樹脂製の部材が取り付けら
れ、下面に複数の合成ゴム製のカバー部材が取り付けられて構成されている。
【００１８】
ここで前蓋部３１について詳細を説明する。  
前基材４０は、中央に半円状の手掛け穴３６が形成されている。また前基材４０の周縁
には環状に異なる形状の取付孔４０ａと、取付孔４０ｂとが交互に並んで前基材４０を貫
通して形成されている。これら取付孔４０ａ、４０ｂは、後述するように複数の取付部材
を取り付ける構造をしている。  
また、前基材４０の前方には、磁石を挿入する磁石装着部４４が設けられており、この
磁石は洗濯蓋３０を閉塞したときに、トップカバー２０前方の磁石装着部４４と対向する
位置に設けられる蓋開閉検知手段４５（図８参照）により洗濯蓋３０の開閉を検知できる
ように構成されている。
【００１９】
さらに、前基材４０下面には、蓋ロック機構４６の一部で、中央にピン挿入穴４８を有
するロック固定部４７が取付孔の間に形成されており、このロック固定部４７は、洗濯蓋
３０が載置部２３に載置時には、図６に示すように載置部２３に形成されるロック固定部
挿入溝４９内に位置される。また載置部２３には、ロック手段５０がロック固定部挿入溝
４９に隣接して設けられており、このロック手段５０からロックピン５１が突出してピン
挿入穴４８に挿入されることにより、洗濯蓋３０がロックされるように構成されている。
【００２０】
一方、この前基材４０の上面に取り付けられる取付部材は、樹脂部材５５と飾り部材２
７と飾り部材３９であって、樹脂部材５５は、前基材４０より一回り小さい半円状に形成
されたもので、中央に前記手掛部３５の凹部の後方部位を構成する手掛け後部３７が下方
に凸状に形成されており、さらに樹脂部材５５下面の周縁には環状に取付孔４０ａの形状
に合った被係止部５５ａが形成されている。  
また、飾り部材２７は、半環状に形成されるものであって、着色されており、下面に取
付孔４０ｂの形状に合った被係止部２７ｂ（図７参照）が形成されている。なお飾り部材
３９も、同様に半環状に形成されているもので着色されている。
【００２１】
そして、前基材４０の下面に取り付けられる部材は、カバー部材５６、カバー部材５７
、手掛け前部３８であって、カバー部材５６は、弾性で、摩擦係数の高い合成ゴムで形成
されたものであり、形状は半環状で、上方に向かって取付孔４０ｂの位置と対向する位置
に引掛け部５６ｂが複数設けられている。  
またカバー部材５７は、カバー部材５６より短い半環状に形成されて、同様に上方に向
かって取付孔４０ｂの位置と対向する位置に引掛け部５７ｂが複数設けられている。なお
手掛け前部３８は、椀状に形成されており、前述した手掛部３５の一部を構成するもので
ある。
【００２２】
ここでこれら複数の部材の取り付け方について、図１、図４，図５、図７を参照して説
明する。  
図４は、取付部材を基材に取り付けた状態の洗濯蓋３０を裏面から見た状態図であり、
図５は、すべての部材を取り付けた洗濯蓋３０を裏面から見た状態図である。図７は、洗
濯蓋の取り付け構造詳細図である。  
図１にて、前基材４０の上面には、樹脂部材５５が、手掛け穴３６に手掛け後部３７が
挿入されるように位置させて、被係止部５５ａが取付孔４０ａに係止することにより、取
り付けられる。そして、飾り部材２７は、被係止部２７ｂが取付孔４０ｂに係止させるこ
とにより取り付けられる。  
これら複数の取付部材を前基材４０に取り付けた状態は、図４に示すように取付孔４０
ａに挿入された被係止部５５ａと、取付孔４０ｂに挿入された被係止部２７ｂとの取り付
け構造が、前基材４０の裏面の周縁に環状に交互に形成されていて、前基材４０の裏面か
ら露出した状態となる。  
なお、前基材４０上面の手掛け穴３６の前方周縁には、飾り部材３９が取り付けられ、
手掛け前部３８は、手掛け穴３６に挿入された手掛け後部３７と前基材４０の下面とに取
り付けられている。これら構成により手掛部３５が構成されている。
【００２３】
次にこの図４の状態の前基材４０に対して、前基材４０の裏面からロック固定部４７の
両側にカバー部材５６、カバー部材５７を取り付ける。  
これらの取り付け構造を、図７を代表例として詳細に示す。まず前基材４０の上面には
飾り部材２７が取り付けられていて、取付孔４０ｂに被係止部２７ｂが挿入されている。
【００２４】
そして被係止部２７ｂに形成された嵌合穴２７ｂ１に、取付孔４０ｂの内側面に形成さ
れている凸状の係止部４０ｂ１が挿入されることによって、飾り部材２７が前基材４０に
係止され取り付けられる。  
さらに、取付孔４０ｂには前基材４０の裏面から被係止部２７ｂと取付孔４０ｂとの隙
間にカバー部材５６の引掛け部５６ｂが挿入されており、引掛け部５６ｂのカギ状部が前
基材４０の上面に係止されることによりカバー部材５６が取り付けられる。そしてこのカ
バー部材５６は、取付孔４０ｂを覆うように取り付けられて、その結果、取付孔４０ｂが
隠れ、取付孔４０ｂと交互に環状に位置されている取付孔４０ａも隠れる構造となる。
【００２５】
さらに、取り付けたカバー部材５６は、その最下面は、前基材の最下面よりも下方に位
置されており、載置部２３に弾性して当接されている。なお、カバー部材５７についても
同様な取付構造をしている。  
このようにして、カバー部材５６とカバー部材５７が取り付けられることにより、図５
に示すように、図４に示す露出した取り付け構造が隠れる状態となる。
【００２６】
一方、後蓋部３２も前蓋部３１と同様に、後基材４１をベースとして、複数の取付部材
が取り付けられて構成されており、後基材４１に形成された取付孔４１ａに対して、上面
側から樹脂部材６０に形成される被係止部６０ａが挿入されて取り付けられる。  
また、後基材４１に形成された取付孔４１ｂに対して、上面側から飾り部材２８、飾り
部材２９に形成された被係止部２８ｂ、被係止部２９ｂが挿入されて取り付けられる。そ
して、下面側からは、取付孔４１ｂに対してカバー部材５８、カバー部材５９に形成され
た引掛け部５８ｂ、引掛け部５９ｂが挿入されて取り付けられることによって後基材４１
の取付構造が裏面から隠されるようになっている。  
なお、洗濯蓋３０の上面には、基材の上面に取り付けられた飾り部材２７と飾り部材２
８、飾り部材２９が取り付けられることにより、バックカバー２２に形成される円弧状の
飾り部材２２ａと環状に連なり、図３に示すようにあわせて環状の飾り２６が形成される
。
【００２７】
次に、洗濯機１の電気的構成につき述べる。  
図８は、洗濯機１の電気的構成を示した図であり、制御部６５は、マイクロコンピュー
タを主体として構成されており、蓋開閉検知手段４５、操作パネル２１等からの各種の信
号が入力される。そして、制御部６５は、それら各種入力信号、およびメモリに予め記憶
されているプログラムに従ってロック手段５０、排水弁１１、給水弁２５ａを制御すると
共に、駆動回路を介してオンオフ制御し、機構部１０の駆動をする。
【００２８】
次に、上記構成の洗濯機の作用について述べる。  
まず、使用者は、載置部２３の内側に嵌まりこんだ洗濯蓋３０を、手掛部３５に手を掛
けて引き上げて、前蓋部３１と後蓋部３２とが一体的に上方に回動させて開く。この状態
では、例えば図５に示すように洗濯蓋３０の裏が見える状態で、洗濯物投入口２４が開放
される。  
次に、洗濯物を洗濯槽４に投入したら、洗濯蓋３０を載置部２３に載置して、洗濯物投
入口２４を閉塞する。このとき載置部２３には、洗濯蓋３０裏面の周縁に設けたカバー部
材５６〜５９が当接して載置される状態となる。  
そして操作パネル２１により、洗濯動作が設定されると「洗い行程」では、排水弁１１
を閉じた状態で給水口２５から給水して水槽３に洗濯水を溜める。そしてモータ９により
パルセータ５を正逆方向に交互に回転させて洗濯物を洗濯する。
【００２９】
次いで、「すすぎ行程」では、排水弁１１を開放し、洗濯水を排水ホース１２から外部
に排水する。そして再び水槽３に洗濯水を給水して、モータ９によりパルセータ５を正逆
方向に交互に回転させて洗濯物をすすぐ。さらにそのすすいだ洗濯水を排水ホース１２か
ら外部に排水する。  
つづいて、「脱水行程」に入ると、洗濯蓋３０が載置されていないと、前述した蓋開閉
検知手段４５が、洗濯蓋３０が閉塞していないことを検知して、制御部６５は例えば操作
パネル２１上で使用者に報知する。  
蓋開閉検知手段４５が洗濯蓋３０が閉塞していることを検知すると、蓋ロック機構４６
が動作し、ロック固定部４７のピン挿入穴４８に、ロック手段５０のロックピン５１が突
出して挿入されることによって、洗濯蓋３０がロックされ、洗濯物投入口２４が開放され
ないようにする。  
そしてモータ９で脱水軸８を介して洗濯槽４を一方向に高速回転させることにより、洗
濯物に含まれている水分を洗濯槽４の側壁の小孔６から遠心脱水し、水槽３内に放出し排
水ホース１２から排出させる。
【００３０】
このように洗濯槽４またはパルセータ５を回転させると水槽５は振動し、その振動は外
箱２及びトップカバー２０にも伝達される。したがって、トップカバー２０に設けられた
洗濯蓋３０は、軸受部３３を中心に上下、横に振動する恐れがあるが、洗濯蓋３０は、弾
性材であるカバー部材５６〜５９を介して載置部２３に載置されているため、振動が弾性
材により吸収されて、上下横方向の振動が軽減される。さらにこの弾性材は摩擦係数が大
きい材質を採用しているため、洗濯蓋３０の外周と載置部２３の外周に隙間があった場合
でも、横方向の振動に対して載置された位置からずれにくい。特に「脱水行程」のときは
、洗濯蓋３０がロックされているため、加えて上下横方向の振動が伝わりにくい。
【００３１】
以上説明したように、本実施形態によれば次の効果を有する。  
基材と複数の取付部材との取付構造を覆うようにカバー部材５６〜５９を取り付けたた
め、洗濯蓋３０を開放したときに取付孔が使用者に見えず、見栄えのよい外観となる。
【００３２】
さらには、裏面にカバー部材５６〜５９を取り付けることにより、取付孔４０ａ、４０
ｂ、４１ａ、４１ｂを隠すことができるため、基材４０、４１により多くの取付孔が形成
できる。すなわち、より多くの取付部材を取り付けることが可能となるため、例えばより
多くの飾り部材が取り付けることができ装飾性を向上させることができたり、複雑な形状
の樹脂部材を複数取り付けることも概観上見栄えよく取り付けることが可能である。
【００３３】
また基材４０に上面から下面に貫通した取付孔を形成し、カバー部材５６を基材４０の
裏面から取付孔４０ｂの被係止部２７ｂが係止されている場所以外の隙間を利用して、引
掛け部５６ｂを挿入して取り付けたため、基材４０にカバー部材専用の余分な取付手段を
形成する必要がなく、生産性がよい。
【００３４】
さらに、カバー部材を弾性材で形成したため、載置部２３から洗濯蓋３０に伝達する振
動を吸収することができ、洗濯蓋３０が揺れることで発生する騒音が減少させることがで
きる。  
さらに摩擦係数が高い材料（例えば合成ゴム）を使用したため、洗濯蓋３０が、載置部
２３で横方向に摺動することを抑制することができ、より振動を抑えることが可能である
し、洗濯蓋３０が移動することによる軸受部３３にかかる応力を抑制することができるた
め、洗濯蓋３０の耐久性が増す。
【００３５】
また脱水行程のように、洗濯槽４を高速回転する場合は、蓋ロック機構４６により洗濯
蓋３０は載置部２３にロックされるため、洗濯蓋３０の移動は抑制され、より洗濯蓋３０
から発生する騒音を減少させることができる。  
なお、本実施例以外に、洗濯機１の洗濯蓋３０特有の構成である洗濯蓋３０の開閉を検
知する機構や、蓋ロック機構４６の一部を設けても良い。
【００３６】
例えば図９のように、前基材４０に形成している洗濯蓋３０の開閉を検知させる磁石Ｊ
を挿入する磁石装着部４４をカバー部材６６に形成しても良い。これによると、金型が複
雑となる形状を基材に形成する必要がなくなり、基材を成形しやすくなる。
【００３７】
また、図１０のように、カバー部材７６にロック固定部７７を設けても良い。このよう
に形成すると、前基材４０にロック固定部４７を形成して金型が複雑となる形状を基材に
形成する必要がなくなり、基材が成形しやすくなる効果に加え、カバー部材をロック固定
部４７の両側で二つに分けて生産する必要がなくなるため、カバー部材の成形費が抑えら
れる他、洗濯機１の組み立てを容易にすることができる。さらに金型がスライド構造であ
るためにロック固定部４７の周囲の基材の形状を選択する上での自由度が制限されてしま
うといった問題が解消される。  
その他、本発明は上記実施例に限定されるものではなく、実施に際して本発明の要旨を
逸脱しない範囲で種々変更して実施できるものである。
【図面の簡単な説明】
【００３８】
【図１】本発明の洗濯蓋３０の分解斜視図
【図２】本発明を適用した洗濯機の全体の概略構成を示す縦断面図。
【図３】洗濯蓋３０およびトップカバー２０の拡大斜視図
【図４】取付部材を取り付けて裏面から見た状態図
【図５】すべての部材を取り付けた洗濯蓋３０を裏面から見た状態図
【図６】洗濯蓋３０を閉塞した状態の蓋ロック機構４６を示した図
【図７】洗濯蓋の取り付け構造詳細図
【図８】洗濯機の電気的構成図。
【図９】カバー部材のその他の実施例の斜視図。
【図１０】カバー部材のその他の実施例の斜視図。
【符号の説明】
【００３９】
図中、１は洗濯機、２は外箱、３は水槽４は洗濯槽、５はパルセータ、６は小孔、７は洗
い軸、８は脱水軸、９はモータ、１０は機構部、１１は排水弁、１２は排水ホース、２０
はトップカバー、２１は操作パネル、２２はバックカバー、２２ａは飾り部材、２３は載
置部、２４は洗濯物投入口、２５は給水口、２５ａは給水弁、２６は飾り、２７は飾り部
材、２７ｂは被係止部、２７ｂ１は嵌合穴、２８は飾り部材、２８ｂは被係止部、２９は
飾り部材、２９ｂは被係止部、３０は洗濯蓋、３１は前蓋部、３２は後蓋部、３２ａは軸
部、３３は軸受部、３５は手掛部、３６は手掛け穴、３７は手掛け後部、３８は手掛け前
部、３９は飾り部材、４０は前基材、４０ａは取付孔、４０ｂは取付孔、４０ｂ１は係止
部、４１は後基材、４１ａは取付孔、４１ｂは取付孔、４４は磁石装着部、４５は蓋開閉
検知手段、４６は蓋ロック機構、４７はロック固定部、４８はピン挿入穴、４９はロック
固定部挿入溝、５０はロック手段、５１はロックピン、５５は樹脂部材、５５ａは被係止
部、５６はカバー部材、５６ｂは引掛け部、５７はカバー部材、５７ｂは引掛け部、５８
はカバー部材、５８ｂは引掛け部、５９はカバー部材、５９ｂは引掛け部、６０は樹脂部
材、６０ａは被係止部、６５は制御部、６６はカバー部材、７６はカバー部材、及び７７
はロック固定部示す。
【図１】
2007195781.tif 000003
【図２】
2007195781.tif 000004
【図３】
2007195781.tif 000005
【図４】
2007195781.tif 000006
【図５】
2007195781.tif 000007
【図６】
2007195781.tif 000008
【図７】
2007195781.tif 000009
【図８】
2007195781.tif 000010
【図９】
2007195781.tif 000011
【図１０】
2007195781.tif 000012